(57)【特許請求の範囲】
【請求項１】
使用可能な展開状態、或いは３つ折り状の折り畳み状態とし得るようにしたベビーカー本体に、Ｕ字状の手押し杆を前後に揺動固定可能に装着し、
アームレストの外側面の前後の各々に手押し杆を固定するための係止突起が設けられ、上記手押し杆には上記係止突起に選択的に係合する係止部材が設けられ、
係止部材は、アームレスト側で上下方向に延びるとともに、下端部に後方向に開放する開放部を有し、Ｕ字状の手押し杆が後方に揺動されたときに後方の係止突起と嵌合可能なＬ字状の係止用の第１の凹部と、当該第１の凹部の下方で上下方向に延びるとともに、前方及び下方に開放し、Ｕ字状の手押し杆が前方に揺動されたときに前方の係止突起と嵌合可能な第２の係止用凹部とを有し、
係止突起は、先端に長円形部を有し、
係止部材の第１の凹部の上下方向に延びる部分の内面側には、３つ折り状の折り畳み状態時に係止突起の長円形部の先端が収納される溝が設けられ、
当該溝の前壁側下端部には、３つ折り状の折り畳み状態時に係止突起の長円形部の先端部と係合可能な段部が設けられたことを特徴とするベビーカー。
【請求項２】
互いに平行に延びる左右２本のパイプと、そのパイプにそれぞれ一端が枢着され、前輪を有する前脚の頂端部が枢着されたアームレストと、上記各アームレストに枢着され下端部に後輪が設けられた後脚と、上記後脚を上記パイプにそれぞれロックするロック部材とを有し、上記アームレストをパイプに対して上方に揺動させることによって、前脚と後脚とがほぼ並行になるように折り畳み可能とされるとともに、上記両パイプの外側方にＵ字状の手押し杆の下端部が前後揺動可能に枢着されていることを特徴とする、請求項１記載のベビーカー。
【請求項３】
Ｕ字状の手押し杆の手元側に、左右の後脚を左右のパイプにロックするロック部材、および手押し杆を係止突起に固定させる係止部材を選択的に操作する遠隔操作装置が設けられていることを特徴とする、請求項１又は２のいずれかに記載のベビーカー。
【請求項４】
後脚への後輪取付パイプの軸線が、後輪の車軸に鉛直な軸線に一致していることを特徴とする、請求項１乃至３のいずれかに記載のベビーカー。
【請求項５】
ベビーカー本体に取り付けられる幌の幌骨の頂辺部の２カ所に、手押し杆のハンドル部に設けられた左右のジョイントと対応する位置に３つ折り状態時に折曲されるヒンジ部が設けられていることを特徴とする、請求項１乃至４のいずれかに記載のベビーカー。
【請求項６】
ベビーカー本体に取り付けられる幌の幌骨の下端部が枢着された幌支持具に支持杆を突設するとともに、ベビーカー本体に装着された幌取付部材に上記支持杆をその軸線回りに回動可能に装着したことを特徴とする、請求項１乃至４のいずれかに記載のベビーカー。
【発明の詳細な説明】
【０００１】
【発明の属する技術分野】
本発明は、ベビーカーに係り、特に対面、背面のハンドル切り替えを可能にした３つ折りタイプのベビーカーに関する。
【０００２】
【従来の技術及び発明が解決しようとする課題】
一般に、乳幼児を散歩や買物等のために屋外に連れ出す場合に使用するベビーカーにおいては、必要に応じて折り畳み、収納や携帯が容易になるようにするとともに、乳幼児の背面からの手押し状態とする背面状態としたり、使用者が乳幼児と対面した手押し状態とした対面状態とするものが種々提案され実用に供されている。
【０００３】
ところで、上記背面状態或いは対面状態となるようにするためには、単にベビーカーの手押し杆を座板の前後方向に揺動させることにより手押し杆をベビーカー本体の後部或いは前部に揺動させるものがあるが、このようなものにおいてはせいぜい２つ折り状態にしか折り畳むことができず、収納時等においてベビーカーを十分小さくすることができない等の問題があった。
【０００４】
本発明は、このような点に鑑み、対面、背面のハンドル切り替えが可能で、しかも３つ折り状態に折り畳み可能にしたベビーカーを得ることを目的とするものであり、また対面押しの場合にもスムーズに走行させることが出きるベビーカーを得ることを目的とする。
【０００５】
【課題を解決するための手段】
本発明は、使用可能な展開状態、或いは３つ折り状の折り畳み状態とし得るようにしたベビーカー本体に、Ｕ字状の手押し杆を前後に揺動固定可能に装着し、アームレストの外側面の前後の各々に手押し杆を固定するための係止突起が設けられ、上記手押し杆には上記係止突起に選択的に係合する係止部材が設けられ、係止部材は、アームレスト側で上下方向に延びるとともに、下端部に後方向に開放する開放部を有し、Ｕ字状の手押し杆が後方に揺動されたときに後方の係止突起と嵌合可能なＬ字状の係止用の第１の凹部と、当該第１の凹部の下方で上下方向に延びるとともに、前方及び下方に開放し、Ｕ字状の手押し杆が前方に揺動されたときに前方の係止突起と嵌合可能な第２の係止用凹部とを有し、係止突起は、先端に長円形部を有し、係止部材の第１の凹部の上下方向に延びる部分の内面側には、３つ折り状の折り畳み状態時に係止突起の長円形部の先端が収納される溝が設けられ、当該溝の前壁側下端部には、３つ折り状の折り畳み状態時に係止突起の長円形部の先端部と係合可能な段部が設けられたことを特徴とする。
【０００６】
本発明は、さらに、互いに平行に延びる左右２本のパイプにそれぞれ一端が枢着され、前輪を有する前脚の頂端部が枢着されたアームレストと、上記各アームレストに枢着され下端部に後輪が設けられた後脚と、上記後脚を上記パイプにそれぞれロックするロック部材とを有し、上記アームレストをパイプに対して上方に揺動させることによって、前脚と後脚とがほぼ並行になるように折り畳み可能とするとともに、上記両パイプの外側方にＵ字状の手押し杆の下端部が前後揺動可能に枢着されていることを特徴とする。
【０００７】
本発明は、上述のように、アームレストの外側面の前後に手押し杆を固定するための係止突起が設けられ、上記手押し杆には上記係止突起に選択的に係合する係止部材が設けられていることを特徴とする。
【０００８】
本発明は、さらに、Ｕ字状の手押し杆の手元側に、左右の後脚を左右のパイプにロックするロック部材、および手押し杆を係止突起に固定させる係止部材を選択的に操作する遠隔操作装置が設けられていることを特徴とする。
【０００９】
本発明は、さらに、後脚への後輪取付パイプの軸線が、後輪の車軸に鉛直な軸線に一致していることを特徴とする。
【００１０】
本発明は、さらに、ベビーカー本体に取り付けられる幌の幌骨の頂辺部の２カ所に、手押し杆のハンドル部に設けられた左右のジョイントと対応する位置に３つ折り状態時に折曲されるヒンジ部が設けられていることを特徴とする。
【００１１】
本発明は、さらに、ベビーカー本体に取り付けられる幌の幌骨の下端部が枢着された幌支持具に支持杆を突設するとともに、ベビーカー本体に装着された幌取付部材に上記支持杆をその軸線回りに回動可能に装着したことを特徴とする。
【００１２】
【発明の実施の形態】
以下、添付図面を参照して本発明の実施の形態について説明する。
【００１３】
図１は本発明のベビーカーの概略構成を示す斜視図、図２はその側面図であって、前輪１１を有する左右一対の前脚１２、後輪１３を有する左右一対の後脚１４、ほぼＵ字状に屈曲された手押し杆１５、左右一対のアームレスト１６、およびそのアームレスト１６の一端がそれぞれ枢着された、互いに平行に延びる左右２本のパイプ１７を有している。
【００１４】
上記各アームレスト１６の他端部には前脚１２が枢着されており、その左右のアームレスト１６の先端部間には弧状の屈曲可能なガードアーム１８が着脱自在に掛け渡されている。また左右のアームレスト１６には後脚１４の上端が枢着されている。左右の前脚１２は足乗せ板１９を有する前側連結バー２０によって連結されており、左右の後脚１４は後側連結バー２１によって連結されている。さらに各前脚１２の中間部には連結バー２２の前端がそれぞれ枢着され、その連結バー２２の後端は、それぞれ前記パイプ１７の下部に固着された後脚支持部材２３に枢着されている。また左右の連結バー２２は上側連結バー２４によって連結されている。そして、これらの前脚１２、後脚１４、アームレスト１６、パイプ１７、およびそれらを連結する連結バーによってベビーカー本体が構成されている。
【００１５】
図３に示すように、後脚１４にはＬ字状のブラケット２５の下端部が枢着されており、その中間部が上記後脚支持部材２３に枢着されている。そのブラケット２５の自由端部には後脚１４をパイプ１７にロックするロック部材２６の係止段部２６aと係合する切り欠き段部２５aが設けられている。上記ロック部材２６は上記パイプ１７に摺動可能に装着されており、後述する遠隔操作装置によってパイプ１７に沿って上下摺動操作されるようにしてある。また、後脚支持部材２３には後脚１４と対向する面に展開時の後脚１４に当接しその展開状態を保持する段部２３aが形成されている。
【００１６】
しかして、図３に示すように、ロック部材２６がＬ字状のブラケット２５の切り欠き段部２５aに係合すると、そのブラケット２５を介して後脚１４とパイプ１７とがロックされ、ベビーカー本体が使用可能な展開状態に保持される。一方、後述する遠隔操作装置によってロック部材２６が一点鎖線で示すように引き上げられると、ロック部材２６によるロックが解放され、アームレスト１６、前脚１２、後脚１４が一点鎖線で示すように上方に揺動可能となり、携帯等に便利なように２つに折り畳むことができる。
【００１７】
ところで、図１および図４に示すように、前記左右のパイプ１７の下部にそれぞれ固着された後脚支持部材２３には、その外側面にＵ字状の手押し杆１５の下端部が軸２７を中心として前後に揺動可能に枢着されている。また、アームレスト１６の外側面には、その前端部及び後端部に横方向に突出する係止突起２８、２９が固設されている。一方、手押し杆１５には上記係止突起２８或いは２９に係合する係止部材３０がその手押し杆１５に沿って摺動可能に装着されており（図４、５）、その係止部材３０はスプリングを介して下方に付勢されている。
【００１８】
上記アームレスト１６の前端部側の係止突起２８は円柱状であり、後端部の係止突起２９の先端には、後方側に傾斜している手押し杆１５の軸線方向に長径を有する長円形部２９a（図６）が形成されている。一方、係止部材３０には、図５に示すように、パイプ１７と対向する面側に上下方向に延びるとともに下端部に後方向に開放する開放部３１aを有するＬ字状の係止用の第１の凹部３１が設けられており、またその第１の凹部３１の下方には上下方向に延びるとともに前方及び下方に開放する第２の係止用凹部３２が設けられている。第１の凹部３１の上下方向に延びる部分の内面側には、図６に示すように、係止突起２９の長円形部２９aが回動し得るだけの溝３１bが形成され、その溝３１bには前壁側下端部に、段部３１cが形成されている。
【００１９】
しかして、後述する遠隔操作装置によって係止部材３０を上方に引き上げて手押し杆１５を後方に揺動させると、第１の凹部３１の後方への開方部３１aを経て第１の凹部３１内に係止突起２９が挿入され、係止部材３０の下方への移動によって上記係止突起２９が第１の凹部３１に係合される。これによって、図２の実線で示すように、手押し杆１５が後方揺動位置、すなわち背面押し状態に固定される。一方、図５の鎖線に示すように、係止部材３０を上方に引き上げて手押し杆１５を前方に揺動させると、第２の係止用凹部３２が係止突起２８に係合し、係止部材３０の下方への移動によって図２および図５の鎖線で示すように、手押し杆１５が前方揺動位置、すなわち対面押し状態に固定される。
【００２０】
一方、前記ベビーカー本体の折り畳み時にアームレスト１６が上方に揺動されたときには、図７に示すように、アームレスト１６に固設された係止突起２９の長円形部２９aも回動し、その長円形部２９aの先端部が前記溝３１b内に位置している。したがって、このような折り畳み状態時に於いて遠隔操作装置の誤操作により手押し杆１５切り替え用の係止部材３０を引き上げようとした場合には、長円形部２９aの先端部が段部３１cに係合し、係止部材３０の上方への移動が阻止される。そのため間違って係止部材３０が上方に移動されてベビーカー本体が不用意に展開状態になることが防止される。
【００２１】
ところで、図２に示すように、後輪１３の車軸１３aに直交する垂直軸線Ａが後脚への後輪取付パイプ１４aの軸線と一致されている。したがって、手押し杆１５が切り替えられ対面式となり、後輪１３が前輪側となったときにも走行操作が不安定になることがなく、スムーズな走行を行わせることができる。
【００２２】
また、図４に示すように、上記手押し杆１５には、係止部材３０より下方に後述する遠隔操作装置によって操作されるロック解除部材３３が手押し杆１５に沿って摺動可能に装着されている。このロック解除部材３３は手押し杆１５内に設けられたスプリング３４によって下方に付勢されており、外面にはロック解除杆３５が突出されている。一方、ロック部材２６には上記ロック解除杆３５の上方に突出する作動板３６が突出されており、ロック解除部材３３とともにロック解除杆３５が上方に引き上げられると、作動板３６を介してロック部材２６が上方に引き上げられ、ブラケット２５のロックが解除される。
【００２３】
一方、手押し杆１５の水平部の中央部には遠隔操作装置４０が設けられており、その遠隔操作装置４０の左右には手押し杆１５の左右部を前方に回動させるジョイント（図示せず）が設けられている。図８は、遠隔操作装置４０の操作機構の分解斜視図であり、上記遠隔操作装置４０のフレーム４１は上記ジョイントを介して手押し杆１５に接続されており、倒コ字状を呈する適宜長さの枠体により構成され、向かい合う２つの壁面４２、４２の間に、２つのプーリー４３a、４３bが回転自在に軸着されている。上記プーリー４３a、４３bにはそれぞれ対角線位置に左右のワイヤーケーブル４４a、４４bが連結され、手押し杆１５内に挿通されており、プーリー４３aに連結されたワイヤーケーブル４４aの先端が係止部材２９に連結され、プーリー４３bに連結されたワイヤーケーブル４４bの先端がロック解除部材３３に連結されている。
【００２４】
また、上記フレーム４１には断面コ字状の開閉操作レバー４５a、４５bの基端部が枢着され、スプリング４６a、４６bによって先端部がフレーム４１から突出する方向に付勢されており、その開閉操作レバー４５a、４５bの駆動用腕板４５a1、４５b1がそれぞれプーリー４３a、４３bに連結されている。フレーム４１の上面にはロック板４７がその上面に沿って左右に摺動可能に取り付けられており、そのロック板４７の先端近くに穿設された摺動案内溝４８が係止軸４９に嵌合され（図９）、その移動が規制されている。さらにロック板４７の両側側壁の一部には、下端部が開閉操作レバー４５a、４５bの先端に形成した駆動用腕板４５a1、４５b1の上端と当接する位置に起立規制板５０a、５０bが設けられている。
【００２５】
しかして、ロック板４７を操作しない場合には、図９（ａ）に示すように、ロック板４７は復帰用スプリング５１によって常に規制方向に付勢されており、起立規制板５０a、５０bの下端部が開閉操作レバー４５a、４５bの駆動用腕板４５a１、４５b１の上端にそれぞれ位置しロック機能を発揮する作動状態とあり、開閉操作レバー４５a、４５bに操作方向の力を加えても駆動用腕板４５a１、４５b１は起立されることが無く、遠隔操作装置４０の安全性が保証される。
【００２６】
そこで、ロック板４７を図９（ｂ）に矢印で示す方向に摺動させると、起立規制板５０a、５０bの位置が開閉操作レバー４５a、４５bの駆動用腕板４５a１、４５b１の上端位置から中立位置に移動しこれと接触しないようになる。
【００２７】
また、ロック板４７の基端部は復帰用スプリング５１の力によって常に下方に引き下げる力が付勢されているため、ロック板４７が図９（ｂ）に矢印で示す方向に摺動すると天板５２に形成されたストッパー５２aがフレーム４１の上端部に形成された嵌合溝５４に嵌合し、ロック板４７の摺動は開放位置で一時的に停止される。
【００２８】
上記の状態において、図９（ｃ）に示すように開閉操作レバー４５a、或いは４５bを操作すると、先端に設けられた駆動用腕板４５a1、或いは４５b1が起立上昇してプーリー４３a、或いは４３bを回転させ、操作用ワイヤーケーブル４４a、或いは４４bが引き上げられ、遠隔操作が可能となる。
【００２９】
上記の操作に連動してプーリー４３a、４３bの周縁部に突設した作動用突起５４がロック板４７の天板裏面を押し上げ、ストッパー５２aと嵌合溝５３との嵌合が解放されるので、開閉操作レバー４５a或いは４５bの動作を解放すると
ロック板４７は自動的に、かつ瞬時に元の位置に復帰し、以後の誤作動が規制される。
【００３０】
すなわち、開閉操作レバー４５aを作動するとワイヤーケーブル４４aによって係止部材３０がスプリングに抗して引き上げられ、手押し杆１５のロックが開放される。したがって、手押し杆１５を前後に揺動させ、対面押し状態、或いは背面押し状態にすることができる。また、他方の開閉操作レバー４５bを作動させるとワイヤーケーブル４４bによってロック解除部材３３が引き上げられ、ロック解除杆３５および作動板３６を介してロック部材２６が引き上げられ、ブラケット２５とのロックが解除され、後脚１４のロックが解除される。したがって、前述のように、アームレスト１６、前脚１２、および後脚１４を、図１０の鎖線で示すように、折り畳み状態に移動させることができる。
【００３１】
ところで、図１および図１１に示すように、左右のパイプ１７間には乳幼児の背中を支持する背もたれ５５が配設されている。背もたれ５５にはその左右にサイドガード５５aが一体に設けられており、上記背もたれ５５の下端部が軸５６によって左右のパイプ１７に枢着されている。上記背もたれ５５の左右上端部にはＶ字状のリンク５７、５７の中央部が枢着されており、上記リンク５７、５７の上下の先端部には左右のリンク５７、５７間を連結するヘッドレスト支持杆５８a、５８bが枢着され、そのヘッドレスト支持杆５８a、５８bにヘッドレスト５９が装着されている。
【００３２】
また、上記ヘッドレスト支持杆５８aの左右には背もたれ５５の左右に沿って延びる直杆部５８ａ１が設けられており、その直杆部５８ａ１の先端が、前記パイプ１７に固着されるとともに下方に突出するブラケット６０に枢着されている。その直杆部５８ａ１ の下面側にはその直杆部５８ａ１ に沿って複数の係止孔６１a、６１b、６１ｃが配列された位置決め部材６１が固設されており、その直杆部５８ａ１ および位置決め部材６１に傾斜位置調整部材６２が摺動可能に嵌装されている。上記傾斜位置調整部材６２にはロック爪６３aおよび操作片６３ｂを有する操作レバー６３が枢着されており、上記ロック爪６３aがスプリング６４によって上記係止孔６１a…に係合する方向に付勢されている。さらに上記傾斜位置調整部材６２にはリンク６５の一端が枢着され、そのリンク６５の他端がパイプ１７に枢着されている。
【００３３】
しかして、上記操作レバー６３のロック爪６３aが係止孔６１aに係合されることにより背もたれ５５が固定される。そこで、操作片６３bを操作してロック爪６３aを係止孔６１aから離脱させ、上記傾斜位置調整部材６２をヘッドレスト支持杆５８aの直杆部５８ａ１ に沿って移動させ、ロック爪６３aを例えば他の係止孔６１ｃに係合させると、図１１において鎖線で示すように、背もたれ５５が傾動しリクライニング角度を調整することができる。
【００３４】
ところで、前記前側連結バー２０、後側連結バー２１、上側連結バー２４、およびヘッドレスト支持杆５８a、５８bにはそれぞれ中間部の２カ所にジョイント２０a１、２０a２、２１a１、２１a２、２４a１、２４a２、５８a３、５８a４、５８b３、５８b４が設けられ、そのジョイントにより折り畳み可能としてある。そして、上記各ジョイントは、ジョイント２０a１、２１a１、２４a１、 ５８a３、５８b３、手押し杆の一方のジョイントの軸線、およびジョイント２０a２、２１a２、２４a２、５８a４、５８b４、手押し杆の他方のジョイントの軸線が、前脚と後脚とが互いに平行状態に折り畳まれた状態の時に、それぞれ同一軸線上に位置し、且つ互いに平行になるようにしてある。
【００３５】
しかして、前述のように前脚１２と後脚１４とが互いに平行状態になるように折畳んだ後、手押し杆１５のジョイントより外側部分を前方に移動させると、各ジョイントによって手押し杆１５、前側連結バー２０、後側連結バー２１、ヘッドレスト支持杆５８a、５８bの外側部が前方に折り曲げられ、ベビーカーを図１０に示すように三つ折り状態にコンパクトに折り畳むことができる。図１２に三つ折り状態にしたときの概略形状を示す。
【００３６】
上記ベビーカーにおいては、図１３に示すように、必要に応じて日除け用の幌７０を取り付けるが、その幌７０は基端部が互いに枢着された逆Ｕ字状の２つの幌骨７１a、７１bを有し、その幌骨７１a、７１b間に幌体が張設されている。上記幌骨７１a、７１bの左右の下端部はそれぞれ左右の幌支持具７２に枢着されており、その各幌支持具７２には柱状の支持杆７３が突設されている。しかして、上記幌支持具７２の支持杆７３を前記パイプ１７に装着された幌取付部材に装着固定することにより、幌７０をベビーカー本体に装着することができる。そして、上記逆Ｕ字状の２つの幌骨７１a、７１bを互いに接近方向に揺動させることにより、図１４に示すように、畳んだ状態とし、或いは離間する方向に揺動させ側面視Ｖ字状に拡開させ、止め金７４により両者間を固定することにより、使用状態にすることができる。ところで、上記幌支持杆７１の中間水平部には２個のジョイント７１a１、７１a２、７１ｂ１、７１b２が設けられており、ベビーカーを三つ折り状態にするとき、それと同時に上記幌骨７１もジョイント７１a１、７１a２、７１b１、７１b２により、図１５、１６に示すように、三つ折り状態に折り畳むことができる。しかして、幌７０をベビーカーに取り付けたままの状態でもベビーカーをコンパクトに折り畳むことができる。
【００３７】
図１７は、幌取付部の他の実施の形態を示す図であり、前記アームレスト１６が枢着されたパイプ１７には、そのパイプ１７の軸線と平行に延びる筒状部７５aを有する幌取付部材７５が固着されている。そして、上記筒状部７５aは、ベビーカー本体が展開状態の時には上記パイプ１７の前面側に位置するようにしてあり、上記筒状部７５aに、前記幌７０の幌支持具７２に設けられた支持杆７３がその軸線回りに相対的に回動可能に挿入装着されている。
【００３８】
しかして、上述のように幌７０をベビーカー本体に装着した状態で、ベビーカー本体を三つ折り状態に折り畳む場合、二つ折り状態にした後手押し杆１５のジョイントより外側部分を前方に移動させると、手押し杆１５とともにパイプ１７が前記ジョイントの軸線回りに揺動する。したがって、その揺動に伴って前記幌取付部材７５の筒状部７５aもパイプ１７とともに回動し、その筒状部７５aがパイプ１７の内側面側に位置するようになる。したがって、上記筒状部７５aの回動によって筒状部７５aに挿入されている支持杆７３を介して幌骨７１a、７１bに捻り作用が発生するが、上記幌支持具７２に設けられた支持杆７３が筒状部７５aに対してその軸線回りに相対的に回動可能に挿入装着されているので、筒状部７５aが支持杆７３に対して回動し、図１８に示すようになり、幌７０がベビーカー本体の三つ折り動作を妨げるようなことが防止される。
【００３９】
【発明の効果】
以上説明したように、本発明は３つ折り状態に折り畳み可能としたベビーカー本体に、Ｕ字状の手押し杆を前後に揺動固定可能に装着したので、使用時においては対面式、背面式の両タイプで使用することができ、しかも３つ折りでコンパクトにして収納或いは持ち運びを行うことができる。
【図面の簡単な説明】
【図１】本発明のベビーカーの概略構成を示す斜視図。
【図２】上記ベビーカーの側面図。
【図３】パイプと後脚との連結部の拡大側面図。
【図４】手押し杆の係止部材およびロック解除部材部の構成を示す部分斜視図。
【図５】手押し杆の揺動作動説明図。
【図６】係止部材と係止突起との係合状態を示す拡大部分断面図。
【図７】アームレストが上方に揺動したときの状態の説明図。
【図８】遠隔操作装置における遠隔操作機構の分解斜視図。
【図９】（ａ）、（ｂ）、（ｃ）は遠隔操作装置の作動説明図。
【図１０】ベビーカーの２つおり状態の説明図。
【図１１】背もたれ部の側面図。
【図１２】ベビーカーの三つ折り状態の概略形状を示す斜視図。
【図１３】幌を取り付けたベビーカーの側面図。
【図１４】幌骨の収縮時の正面図。
【図１５】図１４の上面図。
【図１６】幌骨の両端が前方に折り畳まれたときの側面図。
【図１７】幌取付部の他の実施の形態を示す図。
【図１８】図１７に示すベビーカー本体を三つ折りにした状態を示す図。
【符号の説明】
１１  前輪
１２  前脚
１３  後輪
１４  後脚
１５  手押し杆
１６  アームレスト
１７  パイプ
２０  前側連結バー
２１  後側連結バー
２２  連結バー
２３  後脚支持部材
２４  上側連結バー
２５  ブラケット
２６  ロック部材
２８，２９  係止突起
３０  係止部材
３１  第１の凹部
３２  第２の凹部
３３  ロック解除部材
４０  遠隔操作装置
５a、４５b  開閉操作レバー
５５  背もたれ
５８a、５８b  ヘッドレスト支持杆
６２  傾斜位置調整部材
６３  操作レバー
７０  幌
７１a、７１b  幌骨
７２  幌支持具
７３  支持杆
７５  幌取付部材
７５a   筒状部
【図１】
0003939537.tif 000002
【図２】
0003939537.tif 000003
【図３】
0003939537.tif 000004
【図４】
0003939537.tif 000005
【図５】
0003939537.tif 000006
【図６】
0003939537.tif 000007
【図７】
0003939537.tif 000008
【図８】
0003939537.tif 000009
【図９】
0003939537.tif 000010
【図１０】
0003939537.tif 000011
【図１１】
0003939537.tif 000012
【図１２】
0003939537.tif 000013
【図１３】
0003939537.tif 000014
【図１４】
0003939537.tif 000015
【図１５】
0003939537.tif 000016
【図１６】
0003939537.tif 000017
【図１７】
0003939537.tif 000018
【図１８】
0003939537.tif 000019